(57)【要約】      （修正有）【課題】室内インテリアに対応したペットハウスを提供する。【解決手段】ペットハウス１６は、環状のミシン目が複数の側面部に形成された箱と、いずれかの側面部におけるミシン目の内側部分が除去されて形成された窓１０ａと、窓１０ａに取り付けられた装飾部材とを備える。好ましくは、ミシン目に対応した環状をなし、装飾部材を箱に取り付けるためのアタッチメント部材を備え、箱には、装飾部材を固定する固定部材を取り付けるための取付孔１ｅがミシン目の周囲に形成され、窓１０ａの外側に装飾部材が配置され、窓１０ａの内側にアタッチメント部材が配置され、取付孔１ｅに取り付けた固定部材によって、装飾部材及びアタッチメント部材が側面部を挟持して固定される。【選択図】図４
0003230871.tif 000002
【実用新案登録請求の範囲】
【請求項１】
環状のミシン目が複数の側面部に形成された箱と、
いずれかの前記側面部における前記ミシン目の内側部分が除去されて形成された窓と、
該窓に取り付けられる装飾部材と
を備える
ペットハウス。
【請求項２】
前記ミシン目に対応した環状をなし、前記装飾部材を前記箱に取り付けるためのアタッチメント部材を備え、
前記箱には、前記装飾部材を固定する固定部材を取り付けるための取付孔が前記ミシン目の周囲に形成され、
前記箱の内側であって前記窓に臨む位置に、前記装飾部材及びアタッチメント部材が配置され、
前記装飾部材は前記側面部及びアタッチメント部材の間に挟まれ、
前記取付孔に取り付けた固定部材によって、前記装飾部材及びアタッチメント部材が前記側面部に固定される
請求項１に記載のペットハウス。
【請求項３】
前記装飾部材は、クリアパネル、クリアドーム又は竹を含み、
前記箱は、ハンモック、照明、爪研ぎ又は冷感板を取り付け可能に構成されている
請求項１又は２に記載のペットハウス。
【請求項４】
前記爪研ぎは筒形をなし、前記箱に連通するように取り付けられる
請求項３に記載のペットハウス。
【請求項５】
前記箱を複数備え、
一の前記箱は前記窓を介して他の前記箱に連通される
請求項１から４のいずれか一つに記載のペットハウス。  
【考案の詳細な説明】
【技術分野】
【０００１】
本技術は、猫、犬などのペットが使用するペットハウスに関する。
【背景技術】
【０００２】
箱形の愛玩動物用遊技器が提案されている。愛玩動物用遊技器の側面には、穴が形成されている。穴の周囲には連結部が設けられている。連結部を使用して、複数の愛玩動物用遊技器を連結させることができる（特許文献１参照）。
【先行技術文献】
【特許文献】
【０００３】
【特許文献１】実登第３０６９８９９号公報
【考案の概要】
【考案が解決しようとする課題】
【０００４】
愛玩動物用遊技器を室内に設置した場合、室内インテリアに合わないおそれがある。
【０００５】
本開示は、斯かる事情に鑑みてなされたものであり、室内インテリアに対応可能なペットハウスを提供することを目的とする。
【課題を解決するための手段】
【０００６】
本開示に係るペットハウスは、環状のミシン目が複数の側面部に形成された箱と、いずれかの前記側面部における前記ミシン目の内側部分が除去されて形成された窓と、該窓に取り付けられた装飾部材とを備える。
【考案の効果】
【０００７】
本開示に係るペットハウスにあっては、装飾部材を設けることによって、インテリア性を高めることができる。また飼い主は、窓を通してペットの状況を確認することができる。
【図面の簡単な説明】
【０００８】
【図１】第１シートの平面図である。
【図２】第２シートの平面図である。
【図３】箱の略示斜視図である。
【図４】エントランス板、クリアパネル及びクリアドームを箱に取り付けたペットハウスの略示斜視図である。
【図５】クリアパネル、側面部及びアタッチメント部材の略示分解斜視図である。
【図６】ハンモック及び竹を箱に取り付けたペットハウスの略示斜視図である。
【図７】複数の箱が連結されたペットハウスの略示斜視図である。
【図８】爪研ぎの略示斜視図である。
【図９】爪研ぎの略示斜視図である。
【考案を実施するための形態】
【０００９】
以下本考案を、実施の形態に係るペットハウスを示す図面に基づいて説明する。図１は、第１シート１の平面図、図２は、第２シート２の平面図、図３は、箱１５の略示斜視図である。ペットハウス１６は箱１５を備え、該箱１５は、一つの第１シート１と、二つの第２シート２を組み立てることによって、製造される。第１シート１及び第２シート２は、例えば強化段ボール紙によって構成される。
【００１０】
第１シート１は一方向に延びた長方形をなす。第１シート１には、第１シート１の長辺に直角な三つの折り目１ａが形成されている。折り目１ａは、長辺に沿って等間隔を空けて並んでいる。第１シート１には、三つの長辺によって、四つの領域が形成される。以下、各領域を側面部１０と称する。側面部１０は、第１シート１の短辺に沿って延びた長方形をなす。
【００１１】
各側面部１０には、ミシン目１ｂが形成される。ミシン目１ｂは、二つの円部１ｃと、二つの線部１ｄとを備える。二つの円部１ｃは、側面部１０の両端部にそれぞれ形成されている。二つの線部１ｄは、側面部１０の長辺に沿って平行に延び、二つの円部１ｃを挟むように、配置されている。各線部１ｄは、二つの円部１ｃに接する位置に配置され、各円部１ｃとの接点の間に形成されている。そのため、円部１ｃの内側部分を除去して、側面部１０に円形の窓１０ｂを形成するか、又は、円部１ｃの内側部分と二つの線部１ｄの間の部分を除去して、側面部１０に長円形の窓１０ａ（図６参照）を形成することができる。
【００１２】
各円部１ｃの周囲には、貫通した四つの取付孔１ｅが形成されている。第１シート１の一端部に位置する側面部１０に、三つの連結片１ｆが設けられている。三つの連結片１ｆは、前記側面部１０の長辺、即ち第１シート１の短辺から延出し、第１シート１の短辺に沿って並ぶ。三つの連結片１ｆの内、真ん中の連結片１ｆは前記短辺に沿って延びる長方形をなし、両側に位置する二つの連結片１ｆは円弧部を有する。三つの連結片１ｆの形状は、後述するクリアパネル５（図６参照）を長円形の窓１０ａに取り付ける場合に、アタッチメント部材との干渉を防止する形状である。第１シート１の短辺と連結片１ｆとの境界には折り目１ｇが形成される。
【００１３】
第１シート１を折り目１ａにて折り曲げ、連結片１ｆに接着剤を塗布して、第１シート１の他端部に位置する側面部１０に固定することによって、角筒が形成される。角筒は、箱１５の四つの側面部１０を構成する。なお連結片１ｆは角筒の内側に取り付けられ、外部に露出しない。
【００１４】
第２シート２は正方形状をなし、四辺に連結片２ａが設けられている。前記四辺と連結片２ａとの境界には、折り目２ｂが形成される。第２シート２の中央には、貫通した穴２ｃが形成されている。穴２ｃの周囲には、周方向に等しい間隔を空けて、四つの取付孔２ｄが形成されている。また各連結片２ａにも取付孔２ｄが形成されている。
【００１５】
連結片２ａを折り目２ｂに沿って折り曲げて、接着剤を介して、前述した角筒の両端それぞれの内側に取り付ける。連結片２ａの取付孔２ｄは、側面部１０の端部に形成された取付孔１ｅに対応した位置に配される。第２シート２は、箱１５の端面部１１を構成する。
【００１６】
図４は、エントランス板３、クリアパネル５及びクリアドーム６を箱１５に取り付けたペットハウス１６の略示斜視図、図５は、クリアパネル５、側面部１０及びアタッチメント部材４の略示分解斜視図である。
【００１７】
図４及び図５に示すように、一の側面部１０の内面に、長円形状の透明なクリアパネル５が取り付けられる。なお一の側面部１０におけるミシン目１ｂに沿って、側面部１０の一部は予め除去され、長円形の窓１０ａが形成されている。クリアパネル５の長辺部それぞれに二つの取付片５ａが設けられており、該取付片５ａには貫通孔５ｂが形成されている。クリアパネル５は、窓１０ａの長辺に沿って並んだ四つの取付孔１ｅに対して貫通孔５ｂが同軸的に配置されるように、側面部１０の内面に配置される。
【００１８】
箱１５の内側において、長円形をなす環状のアタッチメント部材４が、クリアパネル５に対して同軸的に配置される。クリアパネル５はアタッチメント部材４と側面部１０との間に配置される。アタッチメント部材４の長辺部それぞれに、軸方向に貫通した二つの貫通孔４ａが形成されている。貫通孔４ａは貫通孔５ｂに対して同軸的に配置される。内周面にねじ溝を形成したボス２１が、アタッチメント部材４を挟んでクリアパネル５の反対側に、貫通孔４ａに対して同軸的に配置される。ボス２１には、対向する二つのすり割り溝が形成されている。
【００１９】
ボルト２０が側面部１０の外側から、取付孔１ｅ、貫通孔５ｂ、及び貫通孔４ａに挿入される。ボルト２０はボス２１にねじ込まれ、ボス２１は径方向に拡がる。ボス２１とボルト２０の頭部との間に、側面部１０、取付片５ａ及びアタッチメント部材４が挟まれ、クリアパネル５は側面部１０の内側に固定される。なおボルト２０を回転させることによって、クリアパネル５を取り外すことができる。また円部１ｃの内側部分のみ取り除いて円形の窓１０ｂを形成し、該窓１０ｂの対応した大きさのクリアパネルを側面部１０に取り付けてもよい。
【００２０】
図４に示すように、他の側面部１０に、半球状の透明なクリアドーム６が取り付けられる。なお他の側面部１０において、円部１ｃの内側部分が除去され、円形の窓１０ｂが予め形成されている。クリアドーム６の周縁にはフランジ（図示略）が形成されており、フランジには四つの貫通孔（図示略）が形成されている。これら四つの貫通孔が円形の窓１０ｂの周囲に形成された四つの取付孔１ｅに対して同軸的に配置されるように、フランジは箱１５の内側に配置される。クリアドーム６は、窓１０ｂから外側に突出するように配置される。箱１５の内側において、円形をなす環状のアタッチメント部材（図示略）が設けられている。フランジはアタッチメント部材と側面部との間に配置される。アタッチメント部材には、軸方向に貫通した四つの貫通孔（図示略）が形成されている。箱１５の外からボルト２０が各孔に挿入され、クリアパネル５と同様に、ボルト２０の頭部及びボス２１の間に、側面部１０、フランジ及びアタッチメント部材は挟まれ、クリアドーム６は側面部１０に固定される。
【００２１】
エントランス板３は弾性部材、例えばゴム部材によって構成されており、円板３ａを備える。円板３ａの中央には、貫通した中央穴３ｂが形成される。円板３ａには、中央穴３ｂから放射状に延びる複数のスリット３ｃが形成されている。エントランス板３は四つの取付片（図示略）を備え、各取付片は、円板３ａの周方向に等間隔を空けて配置される。取付片は円板３ａの周縁部から径方向に延びる。取付片には貫通孔（図示略）が形成される。エントランス板３は端面部１１の内面に配置される。箱１５の内側に円環形のアタッチメント部材（図示略）が、穴２ｃに対して同軸的に配置されている。アタッチメント部材と端面部１１との間に取付片は挟まれる。箱１５の外からボルト２０が各孔に挿入され、クリアパネル５と同様に、ボルト２０の頭部及びボス２１の間に、端面部１１、取付片及びアタッチメント部材は挟まれ、エントランス板３は端面部１１に固定される。
【００２２】
なおボス２１に代えてナットを使用してもよい。またボルト２０の脚にすり割り溝を形成し、脚を先端に向かうに従って径方向に拡げる構成とし、ボス２１を、すり割り溝を有さない構成としてもよい。この場合、取り付ける時には、ボルト２０の頭部をたたいて、ボス２１に嵌合させ、取り外し時には、ボルト２０を回転させればよい。またボルト２０及びボス２１に代えて、プッシュリベットを使用してもよい。
【００２３】
図６は、ハンモック８及び竹７を箱１５に取り付けたペットハウス１６の略示斜視図である。箱１５には、ハンモック８及び竹７など他の装飾部材を取り付けることもできる。図６に示すように、側面部１０に長円形の窓１０ａを形成し、該窓１０ａの内側に複数本の竹７を並べてもよい。また長円形の窓１０ａに、例えばアタッチメント部材４を用いて、箱１５の内側又は外側に布製のハンモック８を取り付けてもよい。ハンモック８は、ペットの寝床又は休憩場所ともなり、ペットの住環境の向上につながる。竹７を二枚のクリアパネルの間に挟み、クリアパネル５と同様に、アタッチメント部材４を用いて側面部１０に取り付けてもよい。
【００２４】
なお箱１５の内側にバッテリ駆動式の照明（図示略）を設けてもよい。照明を設けることによって、クリアパネル５又は竹７を通して、光が出射され、ペットハウス１６は間接照明としても機能し、インテリア性が高まる。照明に近接センサを取り付けてもよい。ペットが接近した場合に照明を発光させることによって、ペットの存在を容易に認識することができる。照明は、例えば、側面部１０にねじ止めによって固定される。なお金属板を側面部１０に取り付けて、該金属板に磁石を介して固定してもよい。照明の固定方法はこれらに限定されない。
【００２５】
また珪藻土を材料とした冷感板又は板状の爪研ぎ（いずれも図示略）を箱１５に取り付けてもよい。冷感板又は爪研ぎは、例えば、アタッチメント部材を使用して側面部１０に固定される。なお固定方法はこれに限定されない。冷感板を設けることによって、ペットの夏場の環境を改善することができる。また爪研ぎを設けることによって、猫の住環境を向上させることができる。
【００２６】
図７は、複数の箱１５が連結されたペットハウス１６の略示斜視図である。なお図７において、装飾部材の記載を省略している。図７に示すように、一の箱１５の穴２ｃと、他の箱１５の円形の窓１０ｂを隣接させて、二つのペットハウス１６を連結させてもよく、二つの箱１５それぞれの穴２ｃを隣接させて、二つの箱１５を連結させてもよく、二つの箱１５それぞれの窓を隣接させて、二つの箱１５を連結させてもよい。連結には、例えば、ボルト２０、ボス２１及びアタッチメント部材４を使用する。なお連結方法はこれに限定されない。連結された二つの箱１５の内部空間は連通される。複数の箱１５を上下に重ねて連結してもよい。
【００２７】
図８は、爪研ぎ３０の略示斜視図である。爪研ぎ３０は、外周面に凹凸が形成された円筒形をなす。爪研ぎ３０の端部の内周面に複数の凹部３１が形成されている。爪研ぎ３０の端面において、凹部３１それぞれに対応する位置に軸方向に貫通した取付孔３２が形成されている。取付孔３２は凹部３１に連通する。例えば、穴２ｃ又は円形の窓１０ｂに、爪研ぎ３０の端面を突き合わせ、凹部３１にボス２１を配置し、取付孔３２にボルト２０を挿入して、爪研ぎ３０を箱１５に連結させることができる。
【００２８】
図９は、爪研ぎ４０の略示斜視図である。爪研ぎ４０は、外周面に凹凸が形成された楕円筒形をなす。爪研ぎ４０は、爪研ぎ３０と同様に、複数の凹部４１及び取付孔４２を備える。例えば、爪研ぎ４０の端面を窓１０ａに突き合わせて、爪研ぎ４０は箱１５に連結される。連結の際にアタッチメント部材を使用してもよい。尚、爪研ぎ４０の側面部４３に窓を形成し、該窓を箱１５の窓１０ａに連結させてもよい。上記爪研ぎ３０、４０は箱１５に連通するように取り付けられ、箱１５と同様にペットハウス１６の基本構造部を構成することができる。爪研ぎは、円筒形、楕円筒形に限定されず、三角筒形、四角筒形等の角筒形でもよい。
【００２９】
実施の形態に係るペットハウス１６にあっては、クリアパネル５、クリアドーム６、竹７、ハンモック８などの装飾部材を設けることによって、インテリア性を高めることができる。また飼い主は、窓を通してペットの状況を確認することができる。また装飾性を高めるだけでなく、所望の機能を追加することができるので、ペットの居住性の向上と、室内インテリアの向上とを両立させることができる。
【００３０】
なお穴２ｃ、ミシン目１ｂ及び窓１０ａの形状は、円形及び長円形に限定されず、三角形、四角形その他の多角形でもよく、曲線及び線分を組み合わせた形状でもよく、その形状は限定されない。ペットハウス１６は、箱１５と、クリアパネル５、クリアドーム６、竹７、ハンモック８、照明、冷感板又は爪研ぎとを、連結しない状態で販売し、購入者が連結してもよいし、連結した状態で販売してもよい。
【００３１】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００３２】
１ｂ  ミシン目  １ｅ  取付孔  ４  アタッチメント部材  ５  クリアパネル
６  クリアドーム  ７  竹  ８  ハンモック  １０  側面部  １０ａ  窓
１５  箱  １６  ペットハウス  ２０  ボルト  ３０、４０  爪研ぎ  
【図１】
0003230871.tif 000003
【図２】
0003230871.tif 000004
【図３】
0003230871.tif 000005
【図４】
0003230871.tif 000006
【図５】
0003230871.tif 000007
【図６】
0003230871.tif 000008
【図７】
0003230871.tif 000009
【図８】
0003230871.tif 000010
【図９】
0003230871.tif 000011